(57)【要約】      （修正有）【課題】手が届くところであれば、ワンタッチで端子台のビスに固定できるクリップを提供する。【解決手段】虫ピンの形状をしたピン１と、３本のピンとリード線３を束ねた軸２と、リード線３とから成り、３本のピンとリード線３を束ねた軸２を、半球の形状をしたビスの頭に押し込むと、虫ピンの形状をした３本のピン１が半球の形状の部分を通過したところで半球の傘の部分で支えられることにより、押し込むだけで3か所の傘の裏側になる面で固定される。【選択図】図２
2019184363.tif 000002
【特許請求の範囲】
【請求項１】
電気、電子に関する機械などの組み立て、検査の作業に於いて電圧、抵抗、導通の
計測作業を行う時にリード線を固定した端子台のビスの頭にテスター等の測定器の
計測端子をビスのサイズに対応した、虫ピンの形状をしたピン３本を組み込んだ
ピン型クリップをはめ込む事によりワンタッチで固定出来る様にした事を特徴と
するピン型クリップ。
【請求項２】
請求項１の仕組みをもったピン型クリップを使用する事により、ビスの位置さえ
確認できれば見えない所でも手探りでクリップの方向に左右されず、虫ピンの形状
をしたピン３本をはめ込む事によりワンタッチで固定出来る様にした事を特徴と
するピン型クリップ。
【発明の詳細な説明】
【技術分野】
【０００１】
本発明はピン型クリップに関するものである。
【背景技術】
【０００２】
現状では電気、電子の計測作業では殆どがワニ口クリップやそれと同じ様なものが
使用されているが、関連製品が大規模化、小型化が進んでいる中で端子台等が表面
近くに露出しているものは非常に少なく、手がやっと届く下側や、裏側に配置されて
現場での作業が難しくなっている。
【先行技術文献】
【特許文献】
【０００３】
【特許文献１】特開２００９−１２１８３０
【発明の概要】
【発明が解決しようとする課題】
【０００４】
手が届くところであればワンタッチセット出来るようにしたい。
【課題を解決するための手段】
【０００５】
虫ピンの形状をしたピンの頭の半球の形状を利用して、ビスの頭に沿わせて３本の
ピンを押し込むと半球の形状の部分を通過したところで半球の傘の部分で支えられる
事により押し込むだけで3か所の傘の裏側になる面で固定される。
【発明の効果】
【０００６】
電圧、抵抗、導通の計測の為に必要な端子との接続、固定がワンタッチで手の
届くところなら簡単にできる様になる。
【図面の簡単な説明】
【０００７】
【図１】図１はピン型クリップの断面図である。
【図２】図２はピン型クリップを端子台のビスに固定した時の図である。
【図３】図３はピン型クリップの角度を変えて固定した時の図である。
【発明を実施するための形態】
【０００８】
本発明の実施形態を図１〜図３に基づいて説明する。
【０００９】
図１はピン型クリップの構造を簡単に示す断面図である。
【００１０】
図２はピン型クリップの３本のピンとビスの関係を現した図である。
【００１１】
図３はピン型クリップの取り付け角度を変えてビスに固定した時の図である。
【実施例】
【００１２】
図２は、本発明の代表図である。
【産業上の利用可能性】
【００１３】
ワンタッチで端子台のビスに固定できる事により、作業効率が上がる。
【符号の説明】
【００１４】
１  虫ピンの形状をしたピン
２  ３本のピンとリード線を束ねた軸
３  リード線
４  ３本のピンとリード線を連結した導通板
５  端子台
６  端子台のビス
７  ３本のピンの向きＡ
８  ３本のピンの向きＢ
９  ３本のピンの向きＣ
【図１】
2019184363.tif 000003
【図２】
2019184363.tif 000004
【図３】
2019184363.tif 000005
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
電気、電子に関する機械などの組み立て、検査の作業に於いて電圧、抵抗、導通の
計測作業を行う時にリード線を固定した端子台のビスの頭にテスター等の測定器の
計測端子をビスの頭の径のサイズに対応した、
虫ピンの針側を頭側がクリップの中心に向く様に、軸２に角度を付けて取り付け、
ビスの頭に押付けた時、虫ピンとの接触点に発生する、３か所の反発力でビスの頭を
銜えた状態で、クリップを更に押付け、接触点が半球状の形のビスの傘の部分を超えた
時、反発力が解放れ、３本の虫ピンの頭がビスの中心側に移動し、ビスの頭をロック
して計測出来る様にした事を特徴とするピン型クリップ。
【請求項２】
請求項１の仕組みをもったピン型クリップを使用する事により、ビスの位置を手探りで
探し、ピン型クリップの３つのピンの頭をビスの頭に押付ける事により、ビスの頭を
ロックして計測出来る様にした事を特徴とするピン型クリップ。
【手続補正２】
【補正対象書類名】明細書
【補正対象項目名】０００５
【補正方法】変更
【補正の内容】
【０００５】
虫ピンの針側を頭側がクリップの中心に向く様に、軸２に角度を付けて取り付け、
ビスの頭に押付けた時、虫ピンとの接触点に発生する、３か所の反発力でビスの頭を
銜えた状態で、クリップを更に押付け、接触点が半球状の形のビスの傘の部分を超えた
時、反発力が解放れ、３本の虫ピンの頭がビスの中心側に移動し、ビスの頭をロック
して計測出来る様にした。

【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
端子台のビスの頭にサイズに対応した、
虫ピンの形のピンの針側を、３本束ねて軸として固定する事により
出来る、頭側の３個の半球状のピンの頭を端子台のビスの頭に押し込み固定する
事を特徴とするピン型クリップ。
【手続補正２】
【補正対象書類名】明細書
【補正対象項目名】全文
【補正方法】変更
【補正の内容】
【発明の詳細な説明】
【技術分野】
【０００１】
本発明はピン型クリップに関するものである。
【背景技術】
【０００２】
現状では電気、電子の計測作業では殆どがワニ口クリップやそれと同じ様なものが
使用されているが、関連製品が大規模化、小型化が進んでいる中で端子台等が表面
近くに露出しているものは非常に少なく、手がやっと届く下側や、裏側に配置されて
現場での作業が難しくなっている。
【先行技術文献】
【特許文献】
【０００３】
【特許文献１】特開２００９−１２１８３０
【発明の概要】
【発明が解決しようとする課題】
【０００４】
手が届くところであれば、端子台のビスに、計測端子を押し込むだけで固定出来るようにしたい。
【課題を解決するための手段】
【０００５】
端子台のビスの頭にサイズに対応した、
虫ピンの形状のピンの針側を３本束ねて軸として固定する事により出来る、頭側の
３個の半球状のピンの頭を端子台のビスの頭に押し込み固定する。
ビスの頭に合わせてピン型クリップを押付けるとピンの頭の部分を通過した時点でビスの
頭を固定出来る。
【発明の効果】
【０００６】
電圧、抵抗、導通の計測の為に必要な端子との接続、固定がワンタッチで手の
届くところなら簡単にできる様になる。
【図面の簡単な説明】
【０００７】
【図１】図１はピン型クリップの断面図である。
【図２】図２はピン型クリップを端子台のビスに固定した時の図である。
【図３】図３はピン型クリップの角度を変えて固定した時の図である。
【発明を実施するための形態】
【０００８】
本発明の実施形態を図１〜図３に基づいて説明する。
【０００９】
図１はピン型クリップの構造を簡単に示す断面図である。
【００１０】
図２はピン型クリップの３本のピンとビスの関係を現した図である。
【００１１】
図３はピン型クリップの取り付け角度を変えてビスに固定した時の図である。
【実施例】
【００１２】
図２は、本発明の代表図である。
【産業上の利用可能性】
【００１３】
ワンタッチで端子台のビスに固定できる事により、作業効率が上がる。
【符号の説明】
【００１４】
１  虫ピンの形状をしたピン
２  ３本のピンとリード線を束ねた軸
３  リード線
４  ３本のピンとリード線を連結した導通板
５  端子台
６  端子台のビス
７  ３本のピンの向きＡ
８  ３本のピンの向きＢ
９  ３本のピンの向きＣ